(57)【要約】【課題】本発明は、部品点数を増やすことなく固定筒に対して操作リングを所定の位置で位置決めすることができるクリック機構を備えたレンズ装置を提供する。【解決手段】本発明のレンズ装置１０によれば、操作リング４０に一体形成した係合部材６０を、固定筒３８に一体形成した被係合部６２に弾性的に係合させることにより、操作リング４０を固定筒３８に対して位置決めするクリック機構を構成した。【選択図】      図２
2005062385.tif 000002
【特許請求の範囲】
【請求項１】
固定筒に回動自在に取り付けられた操作リングを回動することにより、該操作リングに取り付けられた移動レンズが撮影光軸に対して移動、又は絞り部材が動作するレンズ装置において、
前記操作リングには係合部材が一体形成されるとともに、前記固定筒には前記係合部材が弾性的に係合される被係合部が一体形成され、該被係合部に前記係合部材を弾性的に係合させることにより、固定筒に対する操作リングの回動位置が位置決めされることを特徴とするレンズ装置。
【請求項２】
前記被係合部は、前記操作リングの回動範囲の両端部近傍に２ヶ所形成され、該２ヶ所の被係合部に前記係合部材が係合されることにより、前記移動レンズが光軸に対して移動され、前景側のパンフォーカスと遠景側のパンフォーカスとに切り替えられることを特徴とする請求項１に記載のレンズ装置。
【請求項３】
請求項１又は２に記載のレンズ装置は、書画カメラ用のレンズ装置であって、前記操作リングはフォーカス用の操作リングであることを特徴とするレンズ装置。
【発明の詳細な説明】
【技術分野】
【０００１】
本発明はレンズ装置に係り、特に原稿等の書類を撮影し画像表示装置に表示させる書画カメラ用のレンズ装置に関する。
【背景技術】
【０００２】
近年、プレゼンテーションに使用されるプロジェクタとして、書画カメラ付きビデオプロジェクタがオーバーヘッドプロジェクタに代わって普及している（特許文献１）。
【０００３】
書画カメラ付きビデオプロジェクタは、書画カメラをカメラスタンドのポールに取り付けるとともにカメラスタンドのテーブルに原稿を載置し、この原稿を書画カメラで撮像することにより、原稿画像をスクリーンに投影する。また、撮像した原稿画像をＬＣＤモニタ等の表示装置に表示する装置もある。
【０００４】
ところで、書画カメラのレンズ装置は、テーブルに載置した原稿を撮像するだけではなく、その位置から向きが変えられて、例えばプレゼンテーション会場の風景等を撮像する際にも使用される場合がある。このような場合、オートフォーカス式のレンズ装置を使用すれば、原稿を撮像する至近（前景）でのピント、及びプレゼンテーション会場を撮像する遠方（遠景）でのピントを自動で合わすことができる。しかしながら、オートフォーカス式のレンズ装置は高価なものなので、それらのピントをマニュアル操作で切り替えるレンズ装置が一般的に使用されている。
【０００５】
マニュアル操作式のレンズ装置として、フォーカスレンズが取り付けられた操作リングを固定筒に螺合連結し、該操作リングを回動することにより、フォーカスレンズを撮影光軸に対して前後移動させてピントを合わせるものがある。マニュアル操作式のレンズ装置は、操作リングを固定筒に対し前景側での合焦位置、及び遠景側での合焦位置にそれぞれ位置決めする必要があるが、従来の位置決めは、スプリングと鋼球とからなるクリック機構によって行われていた（例えば、特許文献２）。
【特許文献１】特開平１１−２５２４５４号公報
【特許文献２】実開平４−１３０９１７号公報
【発明の開示】
【発明が解決しようとする課題】
【０００６】
しかしながら、スプリングと鋼球とからなるクリック機構を有する前記従来のレンズ装置は、クリック機構の部品によって部品点数が多くなり、また、小型な部品であるクリック機構の組み立てに手間がかかるという欠点があった。
【０００７】
本発明はこのような事情に鑑みてなされたもので、部品点数を増やすことなく固定筒に対して操作リングを所定の位置で位置決めすることができるクリック機構を備えたレンズ装置を提供することを目的とする。
【課題を解決するための手段】
【０００８】
本発明は、前記目的を達成するために、固定筒に回動自在に取り付けられた操作リングを回動することにより、該操作リングに取り付けられた移動レンズが撮影光軸に対して移動、又は絞り部材が動作するレンズ装置において、前記操作リングには係合部材が一体形成されるとともに、前記固定筒には前記係合部材が弾性的に係合される被係合部が一体形成され、該被係合部に前記係合部材を弾性的に係合させることにより、固定筒に対する操作リングの回動位置が位置決めされることを特徴とする。
【０００９】
本発明によれば、操作リングに一体形成した係合部材を、固定筒に一体形成した被係合部に弾性的に係合させることにより、操作リングを固定筒に対して位置決めするクリック機構を構成した。これにより、部品点数を増やすことなく固定筒に対して操作リングを所定の位置で位置決めすることができるクリック機構を備えたレンズ装置を提供できる。
【００１０】
また、操作リングによる動作対象がフォーカスレンズの場合には、前記操作リングの回動範囲の両端部近傍に前記被係合部を２ヶ所形成し、この２ヶ所の被係合部に前記係合部材を係合させることにより、前景側のパンフォーカスと遠景側のパンフォーカスとに切り替えることができる。更に、動作対象が絞り部材の場合には、絞り部材の動作により開口径を最小径と最大径とに切り替えることができ、また、動作対象がズームレンズの場合には、広角と望遠とに切り替えることができる。また、被係合部を３ヶ所以上形成することにより、焦点位置、絞り値、焦点距離を多段に切り替えることができる。
【発明の効果】
【００１１】
本発明に係るレンズ装置によれば、操作リングに一体形成した係合部材を、固定筒に一体形成した被係合部に弾性的に係合させることにより、操作リングを固定筒に対して位置決めするクリック機構を構成したので、部品点数を増やすことなく固定筒に対して操作リングを所定の位置で位置決めすることができるクリック機構を備えたレンズ装置を提供できる。
【００１２】
また、本発明によれば、前記操作リングの回動範囲の両端部近傍に前記被係合部を２ヶ所形成し、この２ヶ所の被係合部に前記係合部材を係合させることにより、前景側のパンフォーカスと遠景側のパンフォーカスとに切り替えることができる。
【発明を実施するための最良の形態】
【００１３】
以下、添付図面に従って本発明に係るレンズ装置の好ましい実施の形態について詳説する。
【００１４】
図１は、実施の形態のレンズ装置１０が取り付けられた書画カメラ１２の斜視図が示されている。この書画カメラ１２で撮像された原稿１４の画像は、書画カメラ１２のカメラ本体１６に信号ケーブル１８を介して接続されたＬＣＤモニタ装置２０に表示される。
【００１５】
書画カメラ１２は、カメラスタンド２２のテーブル２４に立設されたポール２６に昇降ブロック２８を介して昇降自在に取り付けられ、その上下位置がブロック２８に取り付けられた操作ツマミ３０を締緩することにより調整される。これにより、テーブル２４に載置された原稿１４にピントが合う位置に書画カメラ１２が位置決めされる。また、書画カメラ１２のカメラ本体１６は、ブロック２８に形成されたブラケット３２に操作ツマミ３４を介して取り付けられている。この操作ツマミ３４を緩めれば、カメラ本体１６を操作ツマミ３４の軸３５を中心に矢印Ａの如く回動することができる。これにより、レンズ装置１０の向きを、原稿１４を撮像する下向き位置から、例えばプレゼンテーション会場の風景を撮像する側方向き位置に変えることができる。
【００１６】
図２には、図１に示したレンズ装置１０のカバー３６を取り外したレンズ装置１０の斜視図が示され、その断面図が図３に示されている。
【００１７】
レンズ装置１０は固定筒３８、操作リング４０、及びスプリング４２等から構成される。固定筒３８は、図１に示したカメラ本体１６のマウント部に連結される大径筒部４４と、フォーカスレンズ４６、４６を保持したレンズ枠体４８が挿入される小径筒部５０とから構成される。大径筒部４４には、固体撮像素子であるＣＣＤ５２及びその基板等がスプリングワッシャ５４によって脱落が防止された状態で固定され、このスプリングワッシャ５４はねじ５６によって大径筒部４４の側面に固定されている。
【００１８】
操作リング４０は、マニュアル操作されるローレット加工部４１がその表面に形成されるとともに、その内側には前述したレンズ枠体４８がセットビス５８によって一体的に固定されている。レンズ枠体４８の外周面の一部には、雄ねじ部４９が刻設され、これに螺合する雌ねじ部５１が固定筒３８の小径筒部５０の内周面に形成される。したがって、固定筒３８に対して操作リング４０を回動すると、雄ねじ部４９と雌ねじ部５１のねじ送り作用によって、レンズ枠体４８が操作リング４０とともに光軸Ｐに沿って前後移動する。これにより、フォーカスレンズ４６が光軸Ｐに沿って前後移動し、焦点合わせが行われる。また、雄ねじ部４９と雌ねじ部５１との間のバックラッシは、固定筒３８の小径筒部５０の段部５０Ａとレンズ枠体４８のフランジ部４８Ａとの間に配置されたスプリング４２の付勢力によって除去されている。
【００１９】
ところで、実施の形態のレンズ装置１０には、固定筒３８に対して操作リング４０の回動位置を位置決めするクリック機構が設けられている。このクリック機構は、図２の如く操作リング４０に一体形成された係合部材６０と、固定筒３８に一体形成された被係合部６２とからなり、被係合部６２に係合部材６０を弾性的に係合させることにより、固定筒３８に対する操作リング４０の回動位置が位置決めされる。
【００２０】
係合部材６０は、図３に示すように操作リング４０の側面から光軸Ｐと平行に突設された梁部６４を有し、この梁部６４の先端部薄肉部６６には、図４の如く断面三角形状の爪部６８が光軸Ｐと平行に形成されている。この係合部材６０によれば、操作リング４０に片持ち形成された梁部６４及び薄肉の先端部６６の弾性によって、被係合部６２に係合される爪部６８に弾性力が与えられている。
【００２１】
被係合部６２は、図２、図３に示すように固定筒３８の大径筒部４４の側面から光軸Ｐと平行に突設された円弧状プレート７０を有し、このプレート７０の内側面に、爪部６８が弾性的に係合される凹部７２、７４が図４、図５の如く形成されている。この凹部７２、７４は、操作リング４０の回動方向の両側に形成されるとともに、凹部７２はプレート７０の一方端に形成されたストッパ部７６とプレート７０の内側面に形成された凸条部７８との間に形成され、凹部７４はプレート７０の他方端に形成されたストッパ部８０とプレート７０の内側面に形成された凸条部８２との間に形成されている。
【００２２】
図５の如く凹部７２に爪部６８が係合されると、係合部材６０は矢印方向に力を受けて同方向に弾性変形される。よって、爪部６８は弾性力をもって凹部７２に係合されるので、凹部７２から容易に外れることはない。凹部７４についても同様である。また、凹部７２から凹部７４への係合、凹部７４から凹部７２への係合は、爪部６８が凸条部７８、８２を乗り上げるように弾性変形して通過することにより可能となる。
【００２３】
また、操作リング４０を回動させて爪部６８を凹部７２に係合させると、図３に示した雄ねじ部４９と雌ねじ部５１とのねじ送り作用によってフォーカスレンズ４６が後方（被写体側と反対側）に移動されるので、遠景側にピントがあったパンフォーカス位置に位置決めされる。また、操作リング４０を回動させて爪部６８を凹部７４に係合させると、雄ねじ部４９と雌ねじ部５１とのねじ送り作用によってフォーカスレンズ４６が前方（被写体側）に移動されるので、前景側にピントがあったパンフォーカス位置に位置決めされる。
【００２４】
なお、固定筒３８は、カメラ本体１６に連結されることから強度の高いポリカーボネイトによって製造され、これに対し、操作リング４０は、固定筒３８のように強度は要求されずクリック機構での弾力性、滑り性及び耐磨耗性が要求されることからポリアセタールによって製造されている。
【００２５】
次に、前記の如く構成されたレンズ装置１０の作用について説明する。
【００２６】
まず、カメラスタンド２２のポール２６に取り付けた書画カメラ１２で原稿１４を撮像する場合には、操作リング４０を回動させて爪部６８を凹部７４に係合させる。これにより、図３に示した雄ねじ部４９と雌ねじ部５１とのねじ送り作用によってフォーカスレンズ４６が前方に移動し、前景側にピントがあったパンフォーカス位置に位置決めされるので、原稿１４をピントが合った状態で撮像することができる。
【００２７】
次に、書画カメラ１２で例えばプレゼンテーション会場の風景を撮像する場合には、操作リング４０を先とは逆方向に回動させて爪部６８を凹部７２に係合させる。これにより、雄ねじ部４９と雌ねじ部５１とのねじ送り作用によってフォーカスレンズ４６が後方に移動し、遠景側にピントがあったパンフォーカス位置に位置決めされるので、プレゼンテーション会場の風景をピントが合った状態で撮像することができる。この場合、カメラスタンド２２に書画カメラ１０を取り付けた状態で書画カメラ１０の向きを変えて撮像してもよく、また、カメラスタンド２２から書画カメラ１０を取り外して撮像してもよい。
【００２８】
以上説明したように実施の形態のレンズ装置１０によれば、操作リング４０に一体形成した係合部材６０を、固定筒３８に一体形成した被係合部６２に弾性的に係合させることにより、操作リング４０を固定筒３８に対して位置決めするクリック機構を構成した。なお、本実施例においての一体形成とは、プラスチックによる成形によって作成されたものであることが好ましい。もちろん接着、接合、削り加工等を施して作成してもよいが、加工工数、部品点数等から考えて、プラスチック成形で一体成形することが好ましい。
【００２９】
これにより、レンズ装置１０によれば、部品点数を増やすことなく固定筒３８に対して操作リング４０を所定の位置で位置決めすることができるクリック機構を備えたレンズ装置を提供できる。
【００３０】
なお、実施の形態では、フォーカスレンズ４６を移動させるレンズ装置１０について説明したが、操作リングを回動させて動作する対象はフォーカスレンズ４６に限定されるものではない。例えば、操作リングの回動で絞り値を変更できるレンズ装置の場合は、絞り部材による開口径を最小径と最大径とに切り替えることができる。また、操作リングの回動でズームレンズが移動するレンズ装置の場合には、広角と望遠とに切り替えることができる。
【００３１】
更に、被係合部を３ヶ所以上形成することにより、焦点位置、絞り値、焦点距離を多段に切り替えることができる。図６は、被係合部６２に凹部６３、６３…を連続形成した断面図であり、この場合、凹部６３は、断面三角形状に形成することが係合部材６０の係合上好ましい。また、被係合部６２は操作リング４０側に形成し、係合部材６０を固定筒３８側に形成してもよい。
【図面の簡単な説明】
【００３２】
【図１】実施の形態のレンズ装置が取り付けられた書画カメラの構造を示す斜視図
【図２】図１に示したレンズ装置のカバーを取り外したときの斜視図
【図３】図２に示したレンズ装置の断面図
【図４】係合部材及び被係合部の要部拡大斜視図
【図５】図３の５−５線から見たレンズ装置の要部断面図
【図６】被係合部に凹部を連続形成した断面図
【符号の説明】
【００３３】
１０…レンズ装置、１２…書画カメラ、１４…原稿、１６…カメラ本体、２０…ＬＣＤモニタ装置、２２…カメラスタンド、３８…固定筒、４０…操作リング、４２…スプリング、４６…フォーカスレンズ、４８…レンズ枠体、６０…係合部材、６２…被係合部、６８…爪部、７２、７４…凹部
【図１】
2005062385.tif 000003
【図２】
2005062385.tif 000004
【図３】
2005062385.tif 000005
【図４】
2005062385.tif 000006
【図５】
2005062385.tif 000007
【図６】
2005062385.tif 000008